(57)【要約】【課題】受信場所を指定してメッセージを送信するシステムにおいて、基地局やサーバに過大な負荷がかかることのないようにする。【解決手段】メッセージ閲覧場所としてメッセージ送信側で指定された場所識別子を含むメッセージをメッセージ管理装置１０２が受信し、そのメッセージに含まれている場所識別子とそのメッセージを特定するためのメッセージ識別子とを、メッセージ受信側の移動端末２に送信する。移動端末２では、自端末の現在位置を検出し、その検出した現在位置が、受信した上記場所識別子に対応する位置と一致した場合に、メッセージ全体を閲覧可能とするための処理として場所識別子をメッセージ管理装置１０２に送信する。移動端末２は、現在位置を定期的にネットワークに通知するのではなく、場所識別子と現在位置とが一致した場合にのみメッセージを取得するので、基地局やサーバに過大な負荷がかからない。【選択図】      図１
2005309528.tif 000002
【特許請求の範囲】
【請求項１】
メッセージ送信側で指定された場所に対応する場所識別子を取得する取得手段と、
自端末の現在位置を検出する位置検出手段と、
前記位置検出手段によって検出した現在位置が、前記取得手段によって取得した場所識別子に対応する位置と一致した場合に、メッセージ全体を閲覧可能とするための処理を行う閲覧処理手段と、
を含むことを特徴とする移動端末。
【請求項２】
前記取得手段は、前記メッセージを特定するためのメッセージ識別子をも取得し、
前記閲覧処理手段は、前記メッセージ識別子を含む要求を送信することを特徴とする請求項１記載の移動端末。
【請求項３】
メッセージ閲覧場所としてメッセージ送信側で指定された場所識別子を含むメッセージを受信する受信手段と、
前記受信手段によって受信したメッセージに含まれている場所識別子と該メッセージを特定するためのメッセージ識別子とを、メッセージ受信側に送信する送信手段と、
を含むことを特徴とするメッセージ管理装置。
【請求項４】
前記場所識別子及び前記メッセージ識別子を含む要求を、前記メッセージ受信側から受信したことに応答して、前記受信手段によって受信したメッセージ全体を前記メッセージ受信側に送信する手段を更に含むことを特徴とする請求項３記載のメッセージ管理装置。
【請求項５】
メッセージ送信側端末の要求に応答して、該端末で指定することのできる場所識別子に関するデータを、該端末に送信する場所識別子送信手段を有することを特徴とする場所識別子管理装置。
【請求項６】
前記メッセージ送信側端末において指定された場所を、その場所に対応する場所識別子に変換する変換手段を更に含むことを特徴とする請求項５記載の場所識別子管理装置。
【請求項７】
メッセージ閲覧場所としてメッセージ送信側で指定された場所識別子を含むメッセージを受信する受信手段と、前記受信手段によって受信したメッセージに含まれている場所識別子と該メッセージを特定するためのメッセージ識別子とを、メッセージ受信側に送信する送信手段とを有するメッセージ管理装置と、
前記場所識別子を取得する取得手段と、自端末の現在位置を検出する位置検出手段と、前記位置検出手段によって検出した現在位置が、前記取得手段によって取得した場所識別子に対応する位置と一致した場合に、メッセージ全体を閲覧可能とするための処理を行う閲覧処理手段とを有する移動端末と、
含むことを特徴とするメッセージ送受信システム。
【請求項８】
メッセージ送信側において場所を指定されたメッセージを保存するステップと、前記場所に関する情報と前記メッセージを特定するためのメッセージ識別子をメッセージ受信側に送信するステップと、前記メッセージ受信側において検出される現在位置が前記場所と一致した時にメッセージ全体を閲覧可能とするための処理を行うステップとを含むことを特徴とするメッセージ送受信方法。
【請求項９】
移動端末に搭載されたコンピュータを、
メッセージ送信側で指定された場所に対応する場所識別子を取得する取得手段、前記取得手段によって取得した場所識別子に対応する位置と自端末の現在位置とを比較する比較手段、前記比較手段による比較結果が一致を示した場合に、メッセージ全体を閲覧可能とするための処理を行う閲覧処理手段、
として機能させることを特徴とする移動端末制御用プログラム。
【発明の詳細な説明】
【技術分野】
【０００１】
本発明は移動端末、メッセージ管理装置、場所識別子管理装置、メッセージ送受信システム、メッセージ送受信方法、移動端末制御用プログラムに関し、特にメッセージの閲覧場所を特定してメッセージ受信者へメッセージを送信するための移動端末、メッセージ管理装置、場所識別子管理装置、メッセージ送受信システム、メッセージ送受信方法、移動端末制御用プログラムに関する。
【背景技術】
【０００２】
近年、携帯電話機やＰＤＡ（Ｐｅｒｓｏｎａｌ  Ｄｉｇｉｔａｌ  Ａｓｓｉｓｔａｎｔ）などの移動端末を利用することにより、電子メールやショートメッセージなどのメッセージ（以下、単にメッセージと呼ぶ）を送受信することができる。メッセージを送信する場合に、メッセージ送信者がそのメッセージの送信時刻を指定し、その指定した時刻にメッセージ受信者に対してメッセージを送信する技術が一般に知られている。このような従来技術におけるメッセージ送信では、メッセージ送信者によって指定された時刻に、配信制御を行っている。
【０００３】
ところで、時刻を指定するだけでなく、特定の場所に到達した時に始めて閲覧することができるメッセージを送信したい場合も考えられる。そのような場合、上述した従来技術では、メッセージを受信する場所に関しては何ら考慮されていないので、メッセージ送信者が受信時刻を推測する必要がある。すなわち、メッセージ送信者は、メッセージ受信者に特定の場所でメッセージを受信してもらいたい場合、メッセージ受信者の行動から、特定の場所に到達する時刻を推測し、その時刻を指定してメッセージを送信する必要があった。
【０００４】
適切な場所で適切なメッセージを受信させるためには、送信側で受信場所を指定することができれば良いと考えられる。このようにメッセージの受信場所を指定する技術として、特許文献１、特許文献２に記載のものがある。
特許文献１に記載されている技術では、送信メッセージを、送信場所に対応する位置に設けられた基地局に送信しておき、基地局が携帯端末とリンクに成功したとき、その携帯端末にメッセージを送信している。
【０００５】
特許文献２に記載されている技術では、受信場所を指定したメッセージを送信すると、サーバが受信側端末の位置情報を受信することで、指定の受信場所に範囲内に存在するか否かを判断し、存在する時にはメッセージを送信している。同文献では、携帯端末自身がＧＰＳ（Ｇｌｏｂａｌ  Ｐｏｓｉｔｉｏｎｉｎｇ  Ｓｙｓｔｅｍ）によって位置情報を取得し、取得した位置情報をサーバに送信している。
【特許文献１】特開平８−１２６０６２号公報
【特許文献２】特開２００２−３００６２７号公報
【発明の開示】
【発明が解決しようとする課題】
【０００６】
しかし、特許文献１や特許文献２に記載されている技術を採用する場合、以下の問題点がある。すなわち、特許文献１では、所定時間毎に、基地局から報知情報を送信する必要があるので、基地局に過大な負荷がかかるという問題点がある。また、特許文献２では、携帯端末からサーバに、位置情報を常に送信する必要があるので、多数の携帯端末が存在する場合にはネットワークやサーバに過大な負荷がかかるという問題点がある。
【０００７】
本発明は上述した従来技術の問題点を解決するためになされたものであり、その目的は受信場所を指定してメッセージを送信する場合に、基地局やサーバに過大な負荷がかかることのない移動端末、メッセージ管理装置、場所識別子管理装置、メッセージ送受信システム、メッセージ送受信方法、移動端末制御用プログラムを提供することである。
【課題を解決するための手段】
【０００８】
本発明の請求項１による移動端末は、
メッセージ送信側で指定された場所に対応する場所識別子を取得する取得手段と、
自端末の現在位置を検出する位置検出手段と、
前記位置検出手段によって検出した現在位置が、前記取得手段によって取得した場所識別子に対応する位置と一致した場合に、メッセージ全体を閲覧可能とするための処理を行う閲覧処理手段と、
を含むことを特徴とする。このように移動端末を構成することにより、受信場所を指定してメッセージを送信する場合に、基地局やサーバに過大な負荷がかかることはない。閲覧処理手段が行う処理には、メッセージを新たに受信するための処理の他、すでに受信されているメッセージの一部分との差分を受信するための処理（後述する変形例２参照）、すでに受信されているメッセージ全体を表示するための処理（後述する変形例１参照）、などが含まれる。
【０００９】
本発明の請求項２による移動端末は、請求項１において、
前記取得手段は、前記メッセージを特定するためのメッセージ識別子をも取得し、
前記閲覧処理手段は、前記メッセージ識別子を含む要求を送信することを特徴とする。現在位置と場所識別子に対応する位置とが一致した場合にのみ、メッセージ識別子を含む要求を送信するので、基地局やサーバに過大な負荷がかかることはない。
【００１０】
本発明の請求項３によるメッセージ管理装置は、
メッセージ閲覧場所としてメッセージ送信側で指定された場所識別子を含むメッセージを受信する受信手段と、
前記受信手段によって受信したメッセージに含まれている場所識別子と該メッセージを特定するためのメッセージ識別子とを、メッセージ受信側に送信する送信手段と、
を含むことを特徴とする。移動端末の現在位置を定期的に受信する処理を行うのではなく、場所識別子とメッセージ識別子とをメッセージ受信側に送信しておき、受信側からの要求を待つことにより、基地局やサーバに過大な負荷をかけずに、指定された場所でメッセージを送信することができる。
【００１１】
本発明の請求項４によるメッセージ管理装置は、請求項３において、
前記場所識別子及び前記メッセージ識別子を含む要求を、前記メッセージ受信側から受信したことに応答して、前記受信手段によって受信したメッセージ全体を前記メッセージ受信側に送信する手段を更に含むことを特徴とする。場所識別子とメッセージ識別子とをメッセージ受信側に送信しておき、メッセージ識別子を含む要求があった場合に始めてメッセージを送信することにより、基地局やサーバに過大な負荷がかかることはない。
【００１２】
本発明の請求項５による場所識別子管理装置は、
メッセージ送信側端末の要求に応答して、該端末で指定することのできる場所識別子に関するデータを、該端末に送信する場所識別子送信手段を有することを特徴とする。場所識別子に関するデータ、例えば一覧表などをメッセージ送信側端末に送信することにより、メッセージ受信場所を指定しやすくなる。
【００１３】
本発明の請求項６による場所識別子管理装置は、請求項５において、
前記メッセージ送信側端末において指定された場所を、その場所に対応する場所識別子に変換する変換手段を更に含むことを特徴とする。このように変換すれば、一覧表などを送受信する必要がなくなり、ネットワークへの負担をより軽減できる（後述する変形例３参照）。
【００１４】
本発明の請求項７によるメッセージ送受信システムは、
メッセージ閲覧場所としてメッセージ送信側で指定された場所識別子を含むメッセージを受信する受信手段と、前記受信手段によって受信したメッセージに含まれている場所識別子と該メッセージを特定するためのメッセージ識別子とを、メッセージ受信側に送信する送信手段とを有するメッセージ管理装置と、
前記場所識別子を取得する取得手段と、自端末の現在位置を検出する位置検出手段と、前記位置検出手段によって検出した現在位置が、前記取得手段によって取得した場所識別子に対応する位置と一致した場合に、メッセージ全体を閲覧可能とするための処理を行う閲覧処理手段とを有する移動端末と、
含むことを特徴とする。このようにシステムを構成すれば、受信場所を指定してメッセージを送信する場合に、基地局やサーバに過大な負荷がかかることはない。
【００１５】
本発明の請求項８によるメッセージ送受信方法は、
メッセージ送信側において場所を指定されたメッセージを保存するステップと、前記場所に関する情報と前記メッセージを特定するためのメッセージ識別子をメッセージ受信側に送信するステップと、前記メッセージ受信側において検出される現在位置が前記場所と一致した時にメッセージ全体を閲覧可能とするための処理を行うステップとを含むことを特徴とする。このような方法を採用すれば、受信場所を指定してメッセージを送信する場合に、基地局やサーバに過大な負荷がかかることはない。
【００１６】
本発明の請求項９による移動端末制御用プログラムは、
移動端末に搭載されたコンピュータを、
メッセージ送信側で指定された場所に対応する場所識別子を取得する取得手段、前記取得手段によって取得した場所識別子に対応する位置と自端末の現在位置とを比較する比較手段、前記比較手段による比較結果が一致を示した場合に、メッセージ全体を閲覧可能とするための処理を行う閲覧処理手段、
として機能させることを特徴とする。このようなプログラムを用いて移動端末を制御すれば、受信場所を指定してメッセージを送信する場合に、基地局やサーバに過大な負荷がかかることはない。
【発明の効果】
【００１７】
以上説明したように本発明は、移動端末の現在位置を定期的にネットワーク内のサーバなどに通知するのではなく、場所識別子と現在位置とが一致した場合にのみメッセージ全体を閲覧可能とするための処理を行うので、基地局やサーバに過大な負荷がかからない。
【発明を実施するための最良の形態】
【００１８】
以下、本発明の実施の形態を、図面を参照して説明する。なお、以下の説明において参照する各図では、他の図と同等部分は同一符号によって示されている。
（システム全体の構成）
図１は、本発明の実施の形態に係るメッセージ送受信システムを示す概略構成図である。
同図に示されているように、移動端末１と移動端末２とは、ネットワーク２０を介して通信を行うことができる。また、ネットワーク２０には、メッセージ及びメッセージ識別子についての登録及び管理を行うメッセージ管理装置１０２と、場所識別子を管理する場所識別子管理装置１０３とが接続されている。ネットワーク２０には、例えば、インターネット網を利用することができる。
【００１９】
（送信側移動端末の処理）
図２は、図１中の送信側端末である移動端末１の操作者が、受信側端末である移動端末２の所有者に対し、所定の場所においてメッセージを受信させるために必要な送信依頼処理を示すフローチャートである。
同図において、まず、移動端末１において、移動端末２の所有者に対して送信するメッセージを送信する場所を指定するための場所特定メールを場所識別子管理装置１０３に送信する（ステップＳ０）。この場所特定メールを送信することにより、指定可能な場所識別子の一覧表を、場所識別子管理装置１０３から取得することができる（ステップＳ１）。場所識別子に関するデータである一覧表を参照することにより、メッセージ受信場所を指定しやすくなる。
【００２０】
次に、移動端末１において、一覧表から場所識別子を指定すると共に、送信相手を特定するアドレス例えばメールアドレスを指定した、メッセージを作成し、メッセージ管理装置１０２に対して送信する（ステップＳ２）。
このメッセージを受信したメッセージ管理装置１０２では、移動端末１より送信されたメッセージを保存して登録する（ステップＳ３）。そして、メッセージ管理装置１０２は、受信側端末である移動端末２に対し、保存したメッセージを識別するためのメッセージ識別子と、移動端末１において指定された場所識別子とを送信する（ステップＳ４）。
それを受信した移動端末２は、自端末の所有者が場所識別子に対応する場所を訪れた際、メッセージ識別子に基づいて、メッセージ管理装置１０２からメッセージを取得し、それを移動端末２に表示する（ステップＳ５）。
【００２１】
（メッセージ管理装置の構成）
図３は、図１中のメッセージ管理装置１０２の構成例を示すブロック図である。同図に示されているように、メッセージ管理装置１０２は、保存したメッセージとそのメッセージを特定するためのメッセージ識別子とを管理するメッセージ管理テーブル２１と、各種データを入力するための入力部２２と、自装置の動作に必要なデータを記憶するためのメモリ２３と、他の装置との間で通信を行うための通信部２４と、各部の制御を行うためのＣＰＵ２５とを含んで構成されている。
図４は、メッセージ管理装置１０２に保持されているメッセージ管理テーブルの一例を示す図である。同図に示されているように、メッセージ管理テーブル２１には、メッセージ識別子とメッセージとが一対一に対応付けられて記憶されている。メッセージ識別子は、メッセージ固有の識別子であり、メッセージ識別子を指定すれば、メッセージを一意に特定することができる。
【００２２】
（場所識別子管理装置の構成）
図５は、図１中の場所識別子管理装置１０３の構成例を示すブロック図である。同図に示されているように、場所識別子管理装置１０３は、場所名とその場所に対応する場所識別子とを対応付けて管理する場所識別子管理テーブル３１と、各種データを入力するための入力部３２と、自装置の動作に必要なデータを記憶するためのメモリ３３と、他の装置との間で通信を行うための通信部３４と、各部の制御を行うためのＣＰＵ３５とを含んで構成されている。
【００２３】
図６は、場所識別子管理装置１０３が管理している場所識別子管理テーブルの例を示す図である。同図に示されている場所識別子管理テーブル３１には、場所識別子と、その場所識別子に対応する場所名とが記憶されている。
本例においては、指定できる場所識別子として、ＲＦＩＤ（Ｒａｄｉｏ  Ｆｒｅｑｕｅｎｃｙ  Ｉｄｅｎｔｉｆｉｃａｔｉｏｎ）システムを利用した場合と、ＧＰＳを利用した場合とがある。
【００２４】
同図において、場所名として、「○○ビル」、「○×遊園地ジェットコースター」、「○×遊園地ジェットコースター列（１）」が記憶されている。この他、鉄道の駅やバスの停留所などの他、名所や旧跡を「場所名」としても良い。
設置場所名「○○ビル」には、「ＲＦＩＤ」を利用した場合のタグＩＤ「000000000001」とＧＰＳを用いた場合の緯度経度情報「Ｎ３５．２６Ｅ１３９．３７」とが対応している。
【００２５】
設置場所名「○×遊園地ジェットコースター」には、「ＲＦＩＤ」を利用した場合のタグＩＤ「000000000011」とＧＰＳを用いた場合の緯度経度情報「Ｎ３５．４１Ｅ１３９．４６」とが対応している。
設置場所名「○×遊園地ジェットコースター列（１）」には、「ＲＦＩＤ」を利用した場合のタグＩＤ「000000000012」とＧＰＳを用いた場合の緯度経度情報「Ｎ３５．４２Ｅ１３９．４６」とが対応している。
【００２６】
なお、緯度については北緯が「Ｎ」、南緯が「Ｓ」で表現され、経度については東経が「Ｅ」、西経が「Ｗ」で表現される。
このように、場所識別子に関して、ある地点を緯度及び経度によって定義することもできる他、緯度及び経度によってあるエリアを定義することもできる。また、非接触タグの場合、１つの非接触タグのタグＩＤを１つの場所識別子に対応付けるだけではなく、複数のタグＩＤを１つの場所識別子に対応付けることもできる。
以上のように、場所識別子管理装置は、場所識別子管理テーブルにより、場所識別子として指定できる場所を管理している。
【００２７】
（移動端末の構成）
図７は、受信側の移動端末の構成例を示すブロック図である。同図に示されているように、移動端末２は、自端末の位置情報を定期的に取得する位置情報取得部２０１と、ダイヤルキーやカスタマーコントローラなどからなる入力部２０２と、自端末の動作に必要なプログラム、データや受信したメッセージなどを記憶するためのメモリ２０３と、ネットワーク２０に接続されている図示せぬ基地局との間で無線通信を行うための通信部２０４と、各部の制御を行うためのＣＰＵ２０５とを含んで構成されている。
【００２８】
通信部２０４は、メッセージを受信する前に、場所識別子やメッセージ識別子を受信する機能を有している。この通信部２０４によって受信された場所識別子２０３ａやメッセージ識別子２０３ｂは、メモリ２０３に記憶される。
位置情報取得部２０１は、移動端末２に予め内蔵されている場合と、別体として用意したものをコネクタによって接続される場合とがある。この位置情報取得部２０１による位置取得には、ＧＰＳ機能を使って緯度経度を取得する方式や、場所を識別するために配置された非接触タグからタグＩＤを検出する非接触タグリーダ方式を採用することができる。
【００２９】
メモリ２３には、受信したメッセージが記憶される他、そのメッセージと共に受信した場所識別子２０３ａが記憶される。位置情報取得部２０１によって取得される位置と場所識別子２０３ａとがＣＰＵ２０５の処理によって比較され、両者が一致した場合には、通信部２０４がメッセージ識別子２０３ｂを用いてメッセージ管理装置１０２にアクセスし、メッセージを取得する。
【００３０】
（移動端末制御プログラム）
図８は、受信側端末である移動端末２において実行されるプログラムの処理の流れを示すフローチャートである。本プログラムは、移動端末２内のメモリ２３に記憶され、ＣＰＵによって実行される。
同図を参照すると、本プログラムは、場所識別子とメッセージ識別子とを取得した時に起動され（ステップＳ１０）、位置情報を定期的に取得する（ステップＳ１１）。そして、取得した位置情報と、場所識別子とを比較する（ステップＳ１２）。この比較の結果、両者が一致した合致した場合、メッセージ識別子をメッセージ管理装置に送信してメッセージの送信を要求する（ステップＳ１３）。このメッセージ識別子を送信することによる要求は、メッセージ全体を閲覧可能にするための要求である。
ステップＳ１２の比較の結果が一致しない場合は、引き続き位置情報を定期的に取得し（ステップＳ１２→Ｓ１１）、取得した位置情報と場所識別子とを比較する（ステップＳ１２）。
【００３１】
以上のように本プログラムは、移動端末に搭載されたコンピュータを、メッセージ送信側で指定された場所に対応する場所識別子を取得する取得手段、前記取得手段によって取得した場所識別子に対応する位置と自端末の現在位置とを比較する比較手段、前記比較手段による比較結果が一致を示した場合に、メッセージ全体を閲覧可能とするための処理を行う閲覧処理手段、として機能させる移動端末制御用プログラムである。このようなプログラムを用いて移動端末を制御すれば、受信場所を指定してメッセージを送信する場合に、基地局やサーバに過大な負荷がかかることはない。
なお、この移動端末制御用プログラムは、移動端末内のメモリに予め記憶させておいても良いし、ネットワーク内のコンテンツサーバから必要に応じてダウンロードして利用しても良い。
【００３２】
（本システムでの情報の流れ）
図９は、本システムにおける情報の流れの一例を示す概略図である。
同図において、まず、移動端末１は、場所識別子管理装置１０３にアクセスして一覧表を要求し（Ｓ９１）、場所識別子管理テーブル３１に保存されている場所識別子の一覧表（Ｓ９２）を取得する。この一覧表から希望する場所を選び、場所識別子を指定する。移動端末１は、メッセージと共に、そのメッセージを送信したい移動端末２を識別するアドレス、指定した場所識別子を、メッセージ管理装置１０２に送信する（Ｓ９３）。
メッセージ管理装置１０２では、移動端末１から受信したメッセージ（Ｓ９４）をメッセージ管理テーブル２１に保存し、そのメッセージを識別できるメッセージ識別子（Ｓ９５）を決定する。メッセージ管理装置１０２は、決定したメッセージ識別子と、場所識別子とを、移動端末２へ送信する（Ｓ９６）。
【００３３】
（受信側端末の処理）
図１０は、受信側端末である移動端末２が、場所識別子及び、メッセージ識別子を取得した後の処理を示す概略図である。
同図において、移動端末２は自端末の現在位置を定期的に検出する。そして、移動端末２を携帯している者が、ある特定の場所に行くと、検出された現在位置が場所識別子に対応する位置と一致する。この一致が検出されたことに応答して移動端末２はメッセージ管理装置１０２にメッセージ識別子を送信する（Ｓ９７）。
このメッセージ識別子（Ｓ９７’）を受信したメッセージ管理装置１０２は、そのメッセージ識別子に基づいてメッセージ管理テーブルを検索してメッセージを取得する。メッセージ管理装置１０２は、その取得したメッセージ（Ｓ９８）を移動端末２に送信する。以上により、移動端末２はメッセージ（Ｓ９８’）を受信することができる。
【００３４】
ところで、受信側端末が自端末の現在位置を取得する方法としては、上述したＲＦＩＤなどの非接触タグを利用する方法、ＧＰＳを利用する方法の他、Ｂｌｕｅｔｏｏｔｈ（登録商標）などの近距離無線通信を利用する方法、在圏セルを管理するＨＬＲ（Ｈｏｍｅ  Ｌｏｃａｔｉｏｎ  Ｒｅｇｉｓｔｅｒ）やＶＬＲ（Ｖｉｓｉｔｏｒ  Ｌｏｃａｔｉｏｎ  Ｒｅｇｉｓｔｅｒ）を参照する方法、以上の方法の組合せによる方法、などが考えられる。
【００３５】
（まとめ）
以上説明したメッセージ送受信システムによる処理全体の流れについて、図１１を参照して説明する。同図には、移動端末１、メッセージ管理装置１０２、場所識別子管理装置１０３、移動端末２による処理の流れが示されている。
最初に、移動端末１はメッセージを送信する場所を指定するための場所特定メールを、場所識別子管理装置１０３に送信する（Ｓ１１１）。これに応答して、場所識別子管理装置１０３は、指定可能な場所識別子の一覧表を、移動端末１に送信する（Ｓ１１２）。
【００３６】
この一覧表を受信した移動端末１は、一覧表から場所識別子を指定すると共に、送信相手を特定するアドレス例えばメールアドレスを指定した、メッセージを作成し、メッセージ管理装置１０２に対して送信する（Ｓ１１３）。
このメッセージを受信したメッセージ管理装置１０２は、そのメッセージを保存して登録する（Ｓ１１４）。さらに、メッセージ管理装置１０２は、受信側端末である移動端末２に対し、保存したメッセージを識別するためのメッセージ識別子と、移動端末１において指定された場所識別子とを送信する（Ｓ１１５）。
【００３７】
メッセージ識別子及び場所識別子を受信した移動端末２は（Ｓ１１６）、移動に伴って位置情報を取得し（Ｓ１１７）、場所識別子と比較する（Ｓ１１８）。この位置情報の取得処理及び場所識別子との比較処理は比較結果が一致を示すまで継続して行われる（Ｓ１１８→Ｓ１１７…）。この比較結果が一致を示した場合、移動端末２はメッセージ識別子をメッセージ管理装置１０２に送信する（Ｓ１１８→Ｓ１１９）。
メッセージ識別子を受信したメッセージ管理装置１０２は、そのメッセージ識別子に基づいてメッセージ管理テーブルを検索してメッセージを取得する（Ｓ１２０）。メッセージ管理装置１０２は、その取得したメッセージを移動端末２に送信する（Ｓ１２１）。以上により、移動端末２はメッセージを受信することができる（Ｓ１２２）。
【００３８】
以上の例では、メッセージ自体ではなく、メッセージ識別子を場所識別子と共に受信側の移動端末に送信している。このため、自端末の現在位置が場所識別子に対応する位置と一致する場合は、メッセージ管理装置１０２にアクセスすることにより、メッセージ識別子に基づいてメッセージを取得することができる。一方、場所識別子に対応する位置に到達できない場合には、メッセージを取得することが無いので、位置が一致しなかったメッセージなどの無駄な情報を受信側の移動端末に格納しなくて済むという利点がある。
なお、上述した例では、メッセージ管理装置１０２と場所識別子管理装置１０３とを別々の装置で実現しているが、物理的に１つの装置によってそれらの機能を実現しても良い。
【００３９】
（変形例１）
本例は、メッセージ識別子を使用しない例である。本例では以下のような処理を行う。
送信側端末から送信依頼があった場合、メッセージ管理装置１０２は、送信側で指定された場所識別子とメッセージとを、受信側端末に送信する。それらを受信した受信側端末では、受信したメッセージをすぐに表示することはせず、受信した場所識別子と現在位置とが一致した場合に始めてメッセージを表示する。つまり、送信されたメッセージ全体がすでに完全に送られているため、指定された場所で、そのメッセージ全体を閲覧可能にする。
【００４０】
以上の処理を実現するには、例えば図１２に示されているプログラムを用いて受信側端末を動作させれば良い。同図において、本プログラムは、場所識別子とメッセージとを取得した時に起動され（ステップＳ１００）、位置情報を定期的に取得する（ステップＳ１０１）。そして、取得した位置情報と、場所識別子とを比較する（ステップＳ１０２）。この比較の結果、両者が一致した合致した場合、すでに受信しているメッセージを表示する（ステップＳ１０３）。つまり、比較の結果、両者が一致した場合にはメッセージ全体を閲覧可能にするための処理が行われ、メッセージの閲覧が可能になる。
【００４１】
ステップＳ１０２の比較の結果が一致しない場合は、引き続き位置情報を定期的に取得し（ステップＳ１０２→Ｓ１０１）、取得した位置情報と場所識別子とを比較する（ステップＳ１０２）。
メッセージを受信した段階ではそれを表示させず、取得した位置情報と場所識別子とが一致した場合に始めてそれを表示させるには、暗号化しておき、それを解除する処理を行えば良い。例えば、場所識別子を鍵として用いて暗号化されたメッセージを受信しておき、取得した位置情報と場所識別子とが一致した時に場所識別子を鍵として用いて復号化すれば良い。
本例によれば、メッセージをすでに受信しているので、場所識別子と現在位置とが一致すれば、たとえ受信側端末が通信サービスの圏外にいたとしても、その場所に到達した時にそのメッセージを閲覧することができる。
【００４２】
（変形例２）
上記の変形例１においては、メッセージ全体を送信しているが、メッセージ全体ではなくその一部分のみを送信するようにしても良い。例えば、メッセージのタイトルのみを送信するようにしても良い。この場合、以下のような処理を行う。
送信側端末から送信依頼があった場合、メッセージ管理装置１０２は、送信側で指定された場所識別子及びメッセージ識別子の他、メッセージの一部分を、受信側端末に送信する。それらを受信した受信側端末では、現在位置を定期的に取得する。そして、受信した場所識別子と現在位置とが一致した場合は、メッセージ全体を閲覧可能とするための処理としてメッセージ管理装置１０２にアクセスすることにより、メッセージ識別子に基づいてメッセージを取得することができる。この場合、メッセージ全体を新たに取得しても良いし、すでに取得している部分とメッセージ全体との差分のみを取得するようにしても良い。
【００４３】
場所識別子と現在位置とが一致したにもかかわらず、通信サービスの圏外にいた場合には、すでに受信しているメッセージの一部分を表示させることができ、必要な情報を閲覧できる可能性がある。
一方、場所識別子に対応する位置に到達できない場合には、メッセージを取得することは無い。
このように、本例によれば、メッセージの一部分をすでに受信しているので、受信側端末が通信サービスの圏外にいた場合にも対応でき、かつ、位置が一致しなかったメッセージなどの無駄な情報を受信側端末に格納しなくて済むという利点がある。
【００４４】
（変形例３）
上記の例では、指定可能な場所識別子の一覧表を、場所識別子管理装置１０３から取得し、送信側端末で場所識別子を指定しているが、場所識別子ではなく場所名を指定するようにしても良い。この場合、指定された場所名をその場所に対応する場所識別子に変換する変換機能を、場所識別子管理装置１０３に設ければ良い。このようにすれば、一覧表を送受信する必要がなくなり、ネットワークへの負担をより軽減できる。
【００４５】
（メッセージ送受信方法）
以上説明したメッセージ送受信システムにおいては、以下のようなメッセージ送受信方法が採用されている。すなわち、メッセージ送信側において場所を指定されたメッセージを保存するステップと、上記場所に関する情報と上記メッセージを特定するためのメッセージ識別子をメッセージ受信側に送信するステップと、上記メッセージ受信側において検出される現在位置が上記場所と一致した時にメッセージ全体を閲覧可能とするための処理を行うステップとを含むメッセージ送受信方法が採用されている。
このような方法を採用すれば、受信場所を指定してメッセージを送信する場合に、基地局やサーバに過大な負荷がかかることはない。
【産業上の利用可能性】
【００４６】
本発明は、移動端末のメッセージ受信場所を指定したメッセージを送信する場合に、有効に利用できる。
【図面の簡単な説明】
【００４７】
【図１】本発明の実施の形態に係るメッセージ送受信システムを示す概略構成図である。
【図２】送信側端末の操作者が、受信側端末の所有者に対し、所定の場所においてメッセージを受信させるために必要な送信依頼処理を示すフローチャートである。
【図３】図１中のメッセージ管理装置の構成例を示すブロック図である。
【図４】メッセージ管理装置に保持されているメッセージ管理テーブルの一例を示す図である。
【図５】図１中の場所識別子管理装置の構成例を示すブロック図である。
【図６】場所識別子管理装置が管理している場所識別子管理テーブルの例を示す図である。
【図７】受信側の移動端末の構成例を示すブロック図である。
【図８】受信側端末である移動端末において実行されるプログラムの処理の流れを示すフローチャートである。
【図９】図１のメッセージ送受信システムにおける情報の流れの一例を示す概略図である。
【図１０】受信側端末が、場所識別子及び、メッセージ識別子を取得した後の処理を示す概略図である。
【図１１】図１のメッセージ送受信システムによる処理全体の流れを示すシーケンス図である。
【図１２】受信側端末である移動端末において実行される他のプログラムの処理の流れを示すフローチャートである。
【符号の説明】
【００４８】
１、２  移動端末
２０  ネットワーク
２１  メッセージ管理テーブル
２２、３２、２０２  入力部
２３、３３、２０３  メモリ
２４、３４、２０４  通信部
２５、３５、２０５  ＣＰＵ
３１  場所識別子管理テーブル
１０２  メッセージ管理装置
１０３  場所識別子管理装置
２０１  位置情報取得部
２０３ａ  場所識別子
２０３ｂ  メッセージ識別子
【図１】
2005309528.tif 000003
【図２】
2005309528.tif 000004
【図３】
2005309528.tif 000005
【図４】
2005309528.tif 000006
【図５】
2005309528.tif 000007
【図６】
2005309528.tif 000008
【図７】
2005309528.tif 000009
【図８】
2005309528.tif 000010
【図９】
2005309528.tif 000011
【図１０】
2005309528.tif 000012
【図１１】
2005309528.tif 000013
【図１２】
2005309528.tif 000014